(57)【要約】【課題】表示手段の明るさを調整した場合に、左目用映像及び右目用映像間にクロストークが生じたり、フリッカが発生したりするのが抑制された表示装置、及び該表示装置を備えるテレビジョン受信機を提供する。【解決手段】ＴＶ受信機のシステム制御部１２は、ユーザにより液晶パネル１５の表示の明るさを変更する指示を受け付け、表示を明るくする指示を受け付けた場合、バックライト制御部１８によりＰＷＭ制御を行い、バックライト部１９の輝度を上げる。システム制御部１２は同時に、視差調整部１６により視差を小さくする調整（補正）をし、得られた補正値をパネル制御部１４へ与えて液晶パネル１５を駆動する。【選択図】図２
2014068256.tif 000002
【特許請求の範囲】
【請求項１】
左目用映像信号及び右目用映像信号に基づいて立体映像を表示する表示手段、及び左目用映像信号に基づく映像と右目用映像信号に基づく映像との視差を調整する視差調整手段を備える表示装置において、
前記表示手段の明るさを調整する明るさ調整手段を備え、
前記視差調整手段は、前記明るさ調整手段が調整した明るさに基づいて視差を調整するように構成されていることを特徴とする表示装置。
【請求項２】
前記表示手段に光を照射するバックライトを備え、
前記明るさ調整手段は、前記バックライトの輝度を調整するように構成されていることを特徴とする請求項１に記載の表示装置。
【請求項３】
入力する映像信号の遷移に基づいて明るさの強調処理を行う強調処理手段を備え、
該強調処理手段は、前記明るさ調整手段が調整した明るさに基づいて、前記強調処理を行うように構成されていることを特徴とする請求項１又は２に記載の表示装置。
【請求項４】
左目に対する光の透過量を調整する左目用シャッタ、及び右目に対する光の透過量を調整する右目用シャッタを有する眼鏡と、
前記左目用映像信号、及び前記右目用映像信号に基づいて、前記左目用シャッタ及び前記右目用シャッタの開閉を制御するシャッタ開閉手段とを備え、
該シャッタ開閉手段は、前記明るさ調整手段が調整した明るさに基づいて、前記開閉を制御するように構成されていることを特徴とする請求項１から３までのいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するように構成されていることを特徴とするテレビジョン受信機。
【発明の詳細な説明】
【技術分野】
【０００１】
本発明は、左目用映像信号及び右目用映像信号に基づいて立体映像を表示する表示装置、及び該表示装置を備えるテレビジョン受信機に関する。
【背景技術】
【０００２】
近年、映像表示装置は各種多様化してきており、左目用映像信号及び右目用映像信号に基づいて立体映像を表示する３Ｄ表示機能は一般機能として搭載されるようになっている。
３Ｄ表示機能を有する３Ｄ映像表示装置においては、１フレーム期間を２分割し、左目用映像及び右目用映像としてお互いに視差を持つ２枚の映像を交互に切換えて表示する。「視差」とは立体感を生むためのパラメータであり、例えば、左目用映像及び右目用映像間で同じ点を表す画素のシフト量で表現される。
そして、この３Ｄ映像表示装置においては、表示切換えに同期して開閉動作が実施されるシャッタメガネが用いられている。シャッタメガネは左目用映像の表示期間は左目側部分が開き、右目用映像の表示期間は右目側部分が開くように制御されている。ユーザがこのようなシャッタメガネをかけて表示映像を視聴することにより立体視が実現される。
【０００３】
ところが、上記のような３Ｄ映像表示装置が液晶表示パネルを備える場合、液晶表示パネルにおける液晶の応答速度の不足、シャッタメガネにおける応答性（応答の遅れ）等の理由から連続する映像間で干渉（クロストーク）が生じる。例えば左目用映像の一部が右目用映像に、右目用映像の一部が左目用映像にそれぞれ漏れてクロストークが生じる。
【０００４】
３Ｄ映像表示装置においては、左右の目は片方が映像を見ている間に他方は残像を感じているだけであるため、ユーザが感じる明るさは減じる。従って、バックライトの輝度を調整することができる３Ｄ映像表示装置においては、ユーザがバックライトの輝度を上げることがある。この場合、液晶の応答範囲が広がり、輝度応答に時間を要するので、クロストークが悪化するという問題がある。このため、現状では、クロストークがある程度抑制されるレベルまで、バックライトの輝度を抑えるように構成されている。
【０００５】
特許文献１には、バックライトの点灯期間のタイミング（開始時期）及びDuty（長さ）の少なくとも一方を、左目用映像及び右目用映像間の視差量、並びにコントラストに基づいて変更するように構成された映像表示装置の発明が開示されている。この映像表示装置によれば、輝度は多少低下してもクロストークを少なくしたい場合等、映像内容及びユーザの使用状況に対応して、バックライト点灯期間を最適化し、連続する映像間のクロストークを抑制することができる。
【先行技術文献】
【特許文献】
【０００６】
【特許文献１】特開２０１０−２８６５５５号公報
【発明の概要】
【発明が解決しようとする課題】
【０００７】
特許文献１の場合、コントラスト及び視差量でバックライトの点灯期間を制御するため、映像信号のレベル等によっては、フリッカが生じる程度に輝度が変化する虞があるという問題があった。
【０００８】
本発明は斯かる事情に鑑みてなされたものであり、表示手段の明るさを調整した場合に、左目用映像及び右目用映像間にクロストークが生じたり、フリッカが発生したりするのが抑制された表示装置、及び該表示装置を備えるテレビジョン受信機を提供することを目的とする。
【課題を解決するための手段】
【０００９】
本発明に係る表示装置は、左目用映像信号及び右目用映像信号に基づいて立体映像を表示する表示手段、及び左目用映像信号に基づく映像と右目用映像信号に基づく映像との視差を調整する視差調整手段とを備える表示装置において、前記表示手段の明るさを調整する明るさ調整手段を備え、前記視差調整手段は、前記明るさ調整手段が調整した明るさに基づいて視差を調整するように構成されていることを特徴とする。
【００１０】
本発明に係る表示装置は、前記表示手段に光を照射するバックライトを備え、前記明るさ調整手段は、前記バックライトの輝度を調整するように構成されていることを特徴とする。
【００１１】
本発明に係る表示装置は、入力する映像信号の遷移に基づいて明るさの強調処理を行う強調処理手段を備え、該強調処理手段は、前記明るさ調整手段が調整した明るさに基づいて、前記強調処理を行うように構成されていることを特徴とする。
【００１２】
本発明に係る表示装置は、左目に対する光の透過量を調整する左目用シャッタ、及び右目に対する光の透過量を調整する右目用シャッタを有する眼鏡と、前記左目用映像信号、及び前記右目用映像信号に基づいて、前記左目用シャッタ及び前記右目用シャッタの開閉を制御するシャッタ開閉手段とを備え、該シャッタ開閉手段は、前記明るさ調整手段が調整した明るさに基づいて、前記開閉を制御するように構成されていることを特徴とする。      
【００１３】
本発明に係るテレビジョン受信機は、前述の表示装置と、テレビジョン放送を受信する受信部とを備え、前記受信部にて受信したテレビジョン放送に基づいて、前記表示装置に映像を表示するように構成されていることを特徴とする。
【００１４】
表示手段の明るさを明るくする場合、輝度応答に時間を要するが、本発明においては視差を小さくすることにより、クロストークの発生を抑制することができる。また、表示手段の明るさを暗くする場合、輝度応答時間は短くなるのでクロストークの発生は抑制され、視差を大きくすることで、暗さが減じた分、立体感を付与して映像を見やすくすることができる。
【００１５】
本発明においては、バックライトの輝度を高くして表示手段の明るさを明るくする場合に、視差を小さくすることによりクロストークの発生を抑制することができる。
【００１６】
本発明においては、表示手段の明るさを明るくする場合に、視差を小さくするとともに、クイックシュートを強めることにより、クロストークの発生をより抑制することができる。
【００１７】
本発明においては、表示手段の明るさを明るくする場合に、視差を小さくするとともに、眼鏡の開閉を調整することにより、クロストークの発生をより抑制することができる。
【００１８】
本発明においては、前述の表示装置を備えるので、テレビジョン放送に基づく３Ｄ映像の視聴時にクロストークの発生が抑制されている。
【発明の効果】
【００１９】
本発明の表示装置によれば、明るさ調整手段が調整した表示手段の明るさに基づいて、自動的に視差調整手段が視差を調整するので、例えば表示手段の明るさを明るくする場合に視差を小さくすることで、クロストークの発生を抑制することができる。
【図面の簡単な説明】
【００２０】
【図１】本発明の実施の形態１に係るＴＶ受信機を示す斜視図である。
【図２】本発明の実施の形態１に係るＴＶ受信機の構成を示すブロック図である。
【図３】本発明の実施の形態１に係るシステム制御部による、明るさ変更の処理手順を示すフローチャートある。
【図４】明るさの設定のＧＵＩ画面の一例を示す図である。
【図５】明るさを標準に設定してあり、眼鏡を用いずに３Ｄ映像を視聴した状態を示す模式図である。
【図６】表示を明るくする設定にした場合に３Ｄ映像を視聴した状態を示す模式図である。
【図７】表示を暗くする設定にした場合に３Ｄ映像を視聴した状態を示す模式図である。
【図８】本発明の実施の形態２に係るシステム制御部による、明るさ変更の処理手順を示すフローチャートある。
【発明を実施するための形態】
【００２１】
以下、本発明をその実施の形態を示す図面に基づいて具体的に説明する。
【００２２】
実施の形態１．
図１は本発明の実施の形態に係るＴＶ受信機１を示す斜視図、図２はＴＶ受信機１の構成を示すブロック図である。
ＴＶ受信機１は、横長の直方体状をなし、縦姿勢で配された液晶表示パネル（以下、液晶パネルという）１５を含む表示装置２４と、表示装置２４の周縁部を覆うフレーム２５と、アンテナ（不図示）から放送波を受信するチューナ（受信部）２と、表示装置２４を支持するスタンド２６とを備える。
【００２３】
表示装置２４は、液晶パネル１５と、シャーシ，ＬＥＤ基板，反射シート，導光板，光学シート，遮光ホルダ，及びパネルカバーを有するバックライト部１９とを備える。シャーシの底板の外面には、上述のチューナ２等を実装した基板が設けられている。
【００２４】
図２に示すように、ＴＶ受信機１は、前記チューナ２、外部入力部３、ＰＣ入力部４、ＨＤＭＩ（登録商標）入力部５、入力信号切換え部６、ＡＤ変換部７、ＡＤ変換部８、３ＤＹＣ分離部９、色空間変換部１０、２Ｄ／３Ｄ判定部１１、システム制御部１２、ガンマ補正部１３、パネル制御部１４、前記液晶パネル１５、視差調整部１６、クイックシュート制御部１７、バックライト制御部１８、バックライト部１９、眼鏡制御部２０、及び眼鏡２１を有する。
【００２５】
チューナ２で受信された映像信号、外部入力部３から入力された映像信号、又はＰＣ入力部４から入力された映像信号は入力信号切換え部６へ与えられる。
入力信号切換え部６は、上述の映像信号のうちのいずれかの信号をユーザの指示に基づいて選択する。
ＨＤＭＩ入力部５は、番組情報（電子番組表）、ＥＤＩＤ（Extended Display Identification Data）等を受け取った場合、これを抽出して色空間変換部１０へ与える。
【００２６】
入力信号切換え部６は、ビデオ入力等のコンポジット信号選択時にコンポジットアナログ信号をＡＤ変換部７へ、YCBCR/RGB等のコンポーネント信号を選択時にコンポーネントアナログ信号をＡＤ変換部８へ与える。
ＡＤ変換部７，８はアナログ信号をデジタル信号に変換する。
ＡＤ変換部７は変換したデジタル信号を３ＤＹＣ分離部９へ与える。ＡＤ変換部８は変換したデジタル信号を色空間変換部１０へ与える。
【００２７】
３ＤＹＣ分離部９は、上下のラインとの信号の比較、及び前後のフレームの同じ位置にあるラインの信号との比較を行うこと等により、輝度信号（Ｙ）と色信号（Ｃ）とを分離する。
色空間変換部１０は、３ＤＹＣ分離部９により分離されたＹＣｂＣｒ信号を一般的な表示に適したＲＧＢ信号に変換する。
色空間変換部１０は、色空間変換して得られた信号を、２Ｄ／３Ｄ判定部１１、及びガンマ補正部１３へ与える。
２Ｄ／３Ｄ判定部１１は、ＨＤＭＩ入力部５へ入力されたＥＤＩＤ等により、チューナ２、外部入力部３、又はＰＣ入力部４へ入力された映像信号が２Ｄ映像及び３Ｄ映像のいずれに対応する信号かを判定し、この判定結果をシステム制御部１２へ与える。
【００２８】
ガンマ補正部１３は、液晶パネル１５の全体的な表示の明るさ、及び色の彩度に対応して、色空間変換部１０により与えられたＲＧＢ信号値（階調信号値）を補正し、補正した信号をパネル制御部１４へ与える。
【００２９】
パネル制御部１４は、ガンマ補正部１３により与えられた映像信号に基づく映像を表示すべく液晶パネル１５を駆動する。
パネル制御部１４は、右目用映像と左目用映像との両方を含むコマ映像からなる３次元映像（サイドバイサイド方式、トップアンドボトム方式、又はフレームシーケンシャル方式）を、右目用映像のみを含む右目用コマ映像と左目用映像のみを含む左目用コマ映像とからなる３次元映像に変換する。
例えば、変換前の映像信号がサイドバイサイド方式の映像信号である場合、（１）変換前の３次元映像を構成する各コマ映像の右半分を横方向に２倍に拡大することによって右目用コマ映像を生成し、（２）変換前の３次元映像を構成する各コマ映像の左半分を横方向に２倍に拡大することによって左目用コマ映像を生成し、（３）生成した右目用コマ映像と左目用コマ映像とを交互に出力する。
また、パネル制御部１４は、パネル駆動速度の変更、及び眼鏡２１の駆動の設定を行う。パネル制御部１４は３次元表示を行う場合、眼鏡２１の駆動の設定で行った、左目用映像と右目用映像との表示タイミングを眼鏡制御部２０へ通知する。
【００３０】
眼鏡２１はアクティブシャッタ方式の眼鏡であり、左右のレンズに液晶シャッタ等のシャッタを有し、液晶パネル１５が左目用映像と右目用映像とを交互に表示するタイミングに同期して、交互に左右のレンズのシャッタを開閉する。
眼鏡制御部２０は、パネル制御部１４から受信した表示タイミングに同期して、上述の眼鏡２１のシャッタの開閉を制御する。
【００３１】
視差調整部１６は、左目用映像及び右目用映像間の視差の調整量（補正量）を算出する。視差調整部１６は、例えば左目用映像及び右目用映像の合成位置をシフトすることにより、映像間の視差を変化させる。合成位置のシフトとは、画素若しくは映像全体を単位とする水平方向又は垂直方向のシフトをいう。または、映像信号にデプス情報が与えられている場合、視差調整部１６は、デプス情報を調整して立体的距離を調整し、視差を変化させるものであってもよい。
【００３２】
バックライト制御部１８は、バックライト部１９のＬＥＤに対し、ＰＷＭ（パルス幅変調）によるデューティ制御を行うことにより、バックライト部１９の輝度を制御し、液晶パネル１５に表示する映像の明るさを制御する。
【００３３】
クイックシュート制御部１７は、クイックシュート駆動（オーバーシュート駆動、又はオーバードライブ駆動ともいう）を制御する。クイックシュート制御として、入力映像信号に基づく前後のフレームのデータを画素ごとに比較してフレーム間差分情報を求め、求めたフレーム間差分情報に応じて、例えばエッジ強調等の明るさの強調処理を施すものが挙げられる。また、目標輝度に向けて透過率を高めるように液晶パネル１５を駆動する場合、目標輝度に必要な透過率以上の透過率に応じた駆動量で液晶パネル１５を駆動する、すなわち目標電圧より高い駆動電圧を液晶パネル１５に印加するクイックシュート制御が挙げられる。以下、後者のクイックシュート制御を行う場合につき説明する。
【００３４】
システム制御部１２は、ＣＰＵ（Central Processing Unit）、ＲＯＭ（Read Only Memory）、ＲＡＭ（Random Access Memory）、不揮発性メモリ、及び入出力インターフェースを共有バスで接続してなるコンピュータである。システム制御部１２は、上述した各部の作動に対する制御、及び各部の処理状態の把握等を行う。
【００３５】
以下、実施の形態１に係るＴＶ受信機１の視差調整の処理について説明する。
図３は、システム制御部１２による、明るさ変更の処理手順を示すフローチャートである。
システム制御部１２は、ユーザにより、液晶パネル１５の表示の明るさを変更する指示を受け付けたか否かを判定する（Ｓ１）。例えば、遠隔操作装置（不図示）に、表示の明るさの変更を受け付けるための「明るさ変更」ボタンが設けてあり、ユーザが該「明るさ変更」ボタンを押圧したか否かを判定する。システム制御部１２は、前記指示を受け付けていないと判定した場合（Ｓ１：ＮＯ）、判定の処理を繰り返す。
【００３６】
システム制御部１２は前記指示を受け付けたと判定した場合（Ｓ１：ＹＥＳ）、すなわち、ユーザが「明るさ変更」ボタンを押圧したと判定した場合、明るさ設定のＧＵＩ（グラフィカル・ユーザインタフェイス）画面を液晶パネル１５に表示し、ユーザによる遠隔操作装置の操作等により現時点より明るくする設定を受け付けたか否か、すなわち明るくする指示を受け付けたか否かを判定する（Ｓ２）。
【００３７】
図４は、明るさの設定のＧＵＩ画面の一例を示す図である。明るさは「１」から「５」までの５段階で表され、「３」が標準であり、「５」が最も明るい。明るさの各段階に対応して、上述のＰＷＭ制御のデューティ比を設定してある。なお、明るさの段階は５段階には限定されない。
【００３８】
システム制御部１２は、明るくする指示を受け付けたと判定した場合（Ｓ２：ＹＥＳ）、例えば現時点の「３」を「４」に変更する指示を受け付けた場合、ＰＷＭ制御のデューティ比を「４」に対応する値に変更し、変更したデューティ比でバックライト制御部１８によりＰＷＭ制御を行い、バックライト部１９の輝度を上げる（Ｓ３）。
システム制御部１２は同時に、視差調整部１６により視差を小さくする調整（補正）をし、得られた補正値をパネル制御部１４へ与える（Ｓ４）。視差調整部１６が左目用映像及び右目用映像の合成位置のシフト量を算出するように構成されている場合、パネル制御部１４は該シフト量に基づいて左目用映像及び右目用映像を重ねた合成映像の両者のずれ（視差）が小さくなるように制御して、液晶パネル１５を駆動する。
【００３９】
図５は、明るさを標準に設定してあり、眼鏡２１を用いずに３Ｄ映像を視聴した状態を示す模式図、図６は、表示を明るくする設定にした場合に３Ｄ映像を視聴した状態を示す模式図である。
図５と図６とを比較することにより、図６は左目用映像と右目用映像の同一画素の間隔が狭くなっており、視差が狭くなっていることが分かる。
視差調整部１６は、デプス情報により立体的距離（深度、奥行き）を調整し、システム制御部１２は、これに基づいた左目用映像信号及び右目用映像信号をパネル制御部１４により液晶パネル１５へ出力するようにしてもよい。
【００４０】
システム制御部１２は同時にまた、目標の明るさに対応する目標電圧より高い駆動電圧をクイックシュート制御部１７により算出し、算出した駆動電圧をパネル制御部１４により液晶パネル１５に印加する。すなわち、クイックシュートを強くし（Ｓ５）、処理を終了する。
【００４１】
システム制御部１２は、ステップＳ２において、明るくする指示を受け付けていない、すなわち暗くする指示を受け付けたと判定した場合（Ｓ２：ＮＯ）、例えば現時点の「３」を「２」に変更する指示を受け付けた場合、ＰＷＭ制御のデューティ比を「２」に対応する値に変更し、変更したデューティ比でバックライト制御部１８によりＰＷＭ制御を行い、バックライト部１９の輝度を下げる（Ｓ６）。
【００４２】
システム制御部１２は同時に、視差調整部１６により視差を大きくする補正をし、得られた補正値をパネル制御部１４へ与える（Ｓ７）。視差調整部１６が左目用映像及び右目用映像の合成位置のシフト量を算出する場合、パネル制御部１４は該シフト量に基づいて左目用映像及び右目用映像を重ねた合成映像の両者のずれ（視差）が大きくなるように制御する。または、視差調整部１６がデプス情報を調整する場合、システム制御部１２は、これに基づいた左目用映像信号及び右目用映像信号をパネル制御部１４により液晶パネル１５へ出力する。
【００４３】
図７は、表示を暗くする設定にした場合に３Ｄ映像を視聴した状態を示す模式図である。
図５と図７とを比較することにより、図７は左目用映像と右目用映像の同一画素の間隔が広くなっており、視差が広くなっていることが分かる。
【００４４】
システム制御部１２は同時にまた、目標の明るさに対応する目標電圧より低い駆動電圧をクイックシュート制御部１７により算出し、算出した駆動電圧をパネル制御部１４により液晶パネル１５に印加する。すなわち、クイックシュートを弱くし（Ｓ８）、処理を終了する。
【００４５】
本実施の形態は以上のように構成されているので、液晶パネル１５の明るさを明るくする場合、輝度応答に時間を要することになるが、同時に視差を小さくし、クイックシュートを強めるので、クロストークの発生を抑制することができる。また、液晶パネル１５の明るさを暗くする場合、輝度応答時間は短くなるので、クロストークの発生は抑制されており、同時に視差を大きくすることで、暗さが減じた分、立体感を付与して映像を見やすくすることができる。このとき、クイックシュートを弱めることができる。
【００４６】
なお、本実施の形態においては、液晶パネル１５の明るさを明るくする（又は暗くする）場合、視差を小さくする（又は大きくする）ことに加えて、同時にクイックシュートを制御する場合につき説明しているが、クイックシュート制御は行わないことにしてもよい。
また、視差を変更するときに、ユーザにより変更量の設定を受け付けるようにしてもよい。
さらに、バックライト部１９の輝度を下げる場合には視差の変更を行わないことにしてもよい。
【００４７】
実施の形態２．
本発明の実施の形態２に係るＴＶ受信機は、システム制御部１２の処理が異なること以外は、実施の形態１に係るＴＶ受信機１と同様の構成を有する。
図８は、システム制御部１２による、明るさ変更の処理手順を示すフローチャートある。
システム制御部１２は、ユーザにより、液晶パネル１５の表示の明るさを変更する指示を受け付けたか否かを判定する（Ｓ１１）。システム制御部１２は、前記指示を受け付けていないと判定した場合（Ｓ１１：ＮＯ）、判定の処理を繰り返す。
【００４８】
システム制御部１２は前記指示を受け付けたと判定した場合（Ｓ１１：ＹＥＳ）、すなわち、ユーザが「明るさ変更」ボタンを押圧したと判定した場合、明るさ設定のＧＵＩ画面を液晶パネル１５に表示し、ユーザによる遠隔操作装置の操作により現時点より明るくする設定を受け付けたか否か、すなわち明るくする指示を受け付けたか否かを判定する（Ｓ１２）。
【００４９】
システム制御部１２は、明るくする指示を受け付けたと判定した場合（Ｓ１２：ＹＥＳ）、例えば現時点の「３」を「４」に変更する指示を受け付けた場合、ＰＷＭ制御のデューティ比を「４」に対応する値に変更し、変更したデューティ比でバックライト制御部１８によりＰＷＭ制御を行い、バックライト部１９の輝度を上げる（Ｓ１３）。
システム制御部１２は同時に、視差調整部１６により視差を小さくする調整（補正）をし、得られた補正値をパネル制御部１４へ与える（Ｓ１４）。視差調整部１６が左目用映像及び右目用映像の合成位置のシフト量を算出する場合、パネル制御部１４は該シフト量に基づいて左目用映像及び右目用映像を重ねた合成映像の両者のずれ（視差）が小さくなるように制御して、液晶パネル１５を駆動する。また、視差調整部１６がデプス情報を調整する場合、システム制御部１２は、これに基づいた左目用映像信号及び右目用映像信号をパネル制御部１４により液晶パネル１５へ出力する。
【００５０】
システム制御部１２は同時にまた、左目用映像及び右目用映像、それぞれの表示時の眼鏡２１の液晶シャッタの開期間のパルス幅を短くするように設定し、設定した開期間に基づいて、眼鏡制御部２０により眼鏡２１のシャッタの開閉を制御し（Ｓ１５）、処理を終了する。
【００５１】
システム制御部１２は、ステップＳ１２において、明るくする指示を受け付けていない、すなわち暗くする指示を受け付けたと判定した場合（Ｓ１２：ＮＯ）、例えば現時点の「３」を「２」に変更する指示を受け付けた場合、ＰＷＭ制御のデューティ比を「２」に対応する値に変更し、変更したデューティ比でバックライト制御部１８によりＰＷＭ制御を行い、バックライト部１９の輝度を下げる（Ｓ１６）。
【００５２】
システム制御部１２は同時に、視差調整部１６により視差を大きくする補正をし、得られた補正値をパネル制御部１４へ与える（Ｓ１７）。視差調整部１６が左目用映像及び右目用映像の合成位置のシフト量を算出する場合、パネル制御部１４は該シフト量に基づいて左目用映像及び右目用映像を重ねた合成映像の両者のずれ（視差）が大きくなるように制御して、液晶パネル１５を駆動する。また、視差調整部１６がデプス情報を調整する場合、システム制御部１２は、これに基づいた左目用映像信号及び右目用映像信号をパネル制御部１４により液晶パネル１５へ出力して、液晶パネル１５を駆動する。
【００５３】
システム制御部１２は同時にまた、左目用映像及び右目用映像、それぞれの表示時の眼鏡２１の液晶シャッタの開期間のパルス幅を長くするように設定し、設定した開期間に基づいて、眼鏡制御部２０により眼鏡２１のシャッタの開閉を制御し（Ｓ１８）、処理を終了する。
【００５４】
本実施の形態は以上のように構成されているので、液晶パネル１５の明るさを明るくする場合、輝度応答に時間を要することになるが、同時に視差を小さくし、眼鏡２１のシャッタの開期間を短くするので、クロストークの発生を抑制することができる。また、液晶パネル１５の明るさを暗くする場合、輝度応答時間は短くなるので、クロストークの発生は抑制されており、同時に視差を大きくすることで、暗さが減じた分、立体感を付与して映像を見やすくすることができる。このとき、眼鏡２１のシャッタの開期間を長くすることができる。
【００５５】
今回開示された上述の実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【符号の説明】
【００５６】
１  ＴＶ受信機
２  チューナ
３  外部入力部
４  ＰＣ入力部
５  ＨＤＭＩ入力部
６  入力信号切換え部
７、８  ＡＤ変換部
９  ３ＤＹＣ分離部
１０  色空間変換部
１１  ２Ｄ／３Ｄ判定部
１２  システム制御部
１３  ガンマ補正部
１４  パネル制御部
１５  液晶パネル
１６  視差調整部
１７  クイックシュート制御部
１８  バックライト制御部
１９  バックライト部
２０  眼鏡制御部
２１  眼鏡
【図１】
2014068256.tif 000003
【図２】
2014068256.tif 000004
【図３】
2014068256.tif 000005
【図４】
2014068256.tif 000006
【図５】
2014068256.tif 000007
【図６】
2014068256.tif 000008
【図７】
2014068256.tif 000009
【図８】
2014068256.tif 000010